【手続補正書】
【提出日】平成21年1月27日(2009.1.27)
【手続補正１】
【補正対象書類名】特許請求の範囲
【補正対象項目名】全文
【補正方法】変更
【補正の内容】
【特許請求の範囲】
【請求項１】
プルスイッチ操作体の上部操作体と下部操作体とを連結する、プルスイッチ操作体の連結具であって、
前記上部操作体を挿通させる挿通空間が形成された、前記上部操作体を連結するための上部連結部と、
前記上部連結部の両側にそれぞれ連続する第１連結部と第２連結部とからなり、前記第１連結部と前記第２連結部は端部にそれぞれ上部操作体及び下部操作体を通過可能な間隙を確保しており、前記第１連結部と第２連結部とが重層状態に形成されて前記下部操作体を挿通させる挿通空間を形成した、下部操作体を連結するための下部連結部と、
前記上部連結部と前記下部連結部との間に形成され、上部操作体の下部連結部への移動、及び下部操作体の上部連結部への移動を制限するとともに、上部操作体の押入により弾性変形して上部操作体を通過させる仕切部と、
を有することを特徴とするプルスイッチ操作体の連結具。
【請求項２】
プルスイッチ操作体の上部操作体と下部操作体とを連結する、プルスイッチ操作体の連結具であって、
金属線材を湾曲させて前記上部操作体を挿通させる挿通空間が形成された、前記上部操作体を連結するための上部連結部と、
前記上部連結部から連続する金属線材の両端側をそれぞれ上部操作体及び下部操作体を通過可能な間隙を確保しつつ湾曲させて第１連結部と第２連結部とし、前記第１連結部と第２連結部とを重層状態に形成して前記下部操作体を挿通させる挿通空間を形成した、下部操作体を連結するための下部連結部と、
前記上部連結部と前記下部連結部との間に形成され、上部操作体の下部連結部への移動、及び下部操作体の上部連結部への移動を制限するとともに、上部操作体の押入により弾性変形して上部操作体を通過させる仕切部と、
を有することを特徴とするプルスイッチ操作体の連結具。
【手続補正２】
【補正対象書類名】明細書
【補正対象項目名】全文
【補正方法】変更
【補正の内容】
【発明の詳細な説明】
【発明の名称】プルスイッチ操作体の連結具
【技術分野】
【０００１】
本発明はプルスイッチ操作体の連結具の技術に関する。
【背景技術】
【０００２】
従来より、天井等に取り付けられる吊り下げ型照明器具等にプルスイッチが用いられている。図１１に示すように、プルスイッチ本体５３は照明器具５１の内部に設けられ、プルスイッチ本体５３から垂設されているプルスイッチ操作体５４を引張り操作することでプルスイッチ本体５３内部の接点間が開閉し、照明器具５１のランプの点滅や切替等、複数の点灯状態モードの切替操作が行われる。図１２に示すように、前記プルスイッチ操作体５４は、プルスイッチ本体５３に直接取り付けられてプルスイッチ本体５３の導出孔５７から導出されている上部操作体５５と、使用者が把持して引張り操作を行う紐状の下部操作体５６とに分けられており、前記上部操作体５５と前記下部操作体５６とは連結具６１で連結されている。
【０００３】
前記連結具６１は、金属線材を略Ｓ字型に形成したものであり、上部係止部６２と下部係止部６３とを有しており、上部係止部６２には上部操作体５５が連結され、下部係止部６３には下部操作体５６が連結される。上部係止部６２と下部係止部６３にはそれぞれ間隙が形成されており、上部操作体５５を連結する場合は、上部操作体５５の端部に形成した輪状部分５５ａを上部係止部６２の前記間隙から通し、上部係止部６２をカシメ加工して間隙を閉じて連結する。下部係止部６３と下部操作体５６との連結も同様のカシメ加工により行う。
【０００４】
ところで、前記プルスイッチ５２のプルスイッチ操作体５４には大きな引張り荷重が加わる場合があり、プルスイッチ本体５３に引張り荷重が作用すると、プルスイッチ本体５３の破損などが生じるおそれがある。そのため、下部操作体５６に所定以上の引張り荷重が加わった場合には前記上部係止部６２及び下部係止部６３が伸び変形して上部操作体５５と下部操作体５６とが分離するようにされており、大きな引張り荷重がプルスイッチ本体５３に加わらないようにされている。
【０００５】
また、前記連結具６１の上部係止部６２が先に伸び変形して上部操作体５５が下部操作体５６より先に外れてしまうと、上部操作体５５は外れた勢いでプルスイッチ本体５３に向かって急激に引き戻され、プルスイッチ本体５３の導出孔５７から内部に入ってしまう場合がある。この場合、上部操作体５５を導出孔５７から再度引き出すことが困難となり、プルスイッチが使用不能になる場合がある。
【０００６】
このため、略Ｓ字型である連結具の上部係止部の引張り強度を下部係止部の引張り強度より大きく設定するとともに、連結具の幅をプルスイッチ本体の導出孔より広く形成した連結具が開発されている（例えば、特許文献１参照。）。この連結具によれば、下部操作体に大きな引張り荷重が加わった場合に、下部係止部が上部係止部より先に伸び変形することとなり、連結具は上部操作体から外れにくい。そして、上部操作体が連結具とともにプルスイッチ本体に向かって急激に引き戻されても、連結具はプルスイッチ本体の導出孔より幅広に形成されているため、上部操作体が導出孔からプルスイッチ本体内部に入ってしまうことが防止される。
【特許文献１】実公昭５３−１５９５６号公報
【発明の開示】
【発明が解決しようとする課題】
【０００７】
しかしながら、上記従来の連結具は、静的な引張り荷重に対しては、引張り強度が低い下部係止部が、上部係止部より早く伸び変形して下部操作体が先に外れるのであるが、瞬間的に大きな引張り荷重が加わった際には、設定通りの順序で外れない場合がある。例えば、子供がプルスイッチ操作体に飛び付いて引っ張るなどして、想定された引張り荷重を大きく超える引張り荷重が瞬間的に連結具に加わった場合には、引張り強度の低い下部係止部から段階的に伸び変形するのではなく、下部係止部と上部係止部とが略同時に伸び変形を生じ、結果的に上部操作体が先に連結具から外れる場合がある。
【０００８】
また、略Ｓ字型である上記従来の連結具は、上部係止部と下部係止部とをそれぞれカシメ加工することにより上部操作体と下部操作体に連結するのであるが、カシメ加工は手作業で行われることが多く、作業者の熟練度によってはカシメ加工により連結具の金属線材に金属疲労が生じる場合がある。この場合、連結具の上部係止部の引張り強度を下部係止部の引張り強度より大きく設定していても、カシメ加工後の実際の連結具の引張り強度にはバラつきが生じてしまい、上部係止部の引張り強度が下部係止部の引張り強度より低下している場合もある。
【０００９】
従って、上記従来の連結具によれば、上部係止部の引張り強度を下部係止部の引張り強度より大きく設定していても、非常に大きい瞬間的な引張り荷重が加わった場合や、カシメ加工による金属疲労が生じている場合は、上部係止部に伸び変形が生じ、上部操作体が下部操作体より先に連結具から外れる場合がある。そして、連結具は下部操作体によって強い力で下方に引かれているため、連結具が下方の操作者等に対して衝突するおそれがある。
【００１０】
本発明は、前記課題に鑑みてなされたものであり、プルスイッチ操作体に引張り荷重が加わった場合であっても、確実に下部操作体が上部操作体より先に連結具から外れる、安全性の高いプルスイッチ操作体の連結具を提供することを目的とする。
【課題を解決するための手段】
【００１１】
本発明の解決しようとする課題は以上の如くであり、次にこの課題を解決するための手段を説明する。
【００１２】
即ち、請求項１に記載の発明では、プルスイッチ操作体の上部操作体と下部操作体とを連結する、プルスイッチ操作体の連結具であって、前記上部操作体を挿通させる挿通空間が形成された、前記上部操作体を連結するための上部連結部と、前記上部連結部の両側にそれぞれ連続する第１連結部と第２連結部とからなり、前記第１連結部と前記第２連結部は端部にそれぞれ上部操作体及び下部操作体を通過可能な間隙を確保しており、前記第１連結部と第２連結部とが重層状態に形成されて前記下部操作体を挿通させる挿通空間を形成した、下部操作体を連結するための下部連結部と、前記上部連結部と前記下部連結部との間に形成され、上部操作体の下部連結部への移動、及び下部操作体の上部連結部への移動を制限するとともに、上部操作体の押入により弾性変形して上部操作体を通過させる仕切部と、を有することを特徴とするプルスイッチ操作体の連結具とした。
【００１３】
請求項２に記載の発明では、プルスイッチ操作体の上部操作体と下部操作体とを連結する、プルスイッチ操作体の連結具であって、金属線材を湾曲させて前記上部操作体を挿通させる挿通空間が形成された、前記上部操作体を連結するための上部連結部と、前記上部連結部から連続する金属線材の両端側をそれぞれ上部操作体及び下部操作体を通過可能な間隙を確保しつつ湾曲させて第１連結部と第２連結部とし、前記第１連結部と第２連結部とを重層状態に形成して前記下部操作体を挿通させる挿通空間を形成した、下部操作体を連結するための下部連結部と、前記上部連結部と前記下部連結部との間に形成され、上部操作体の下部連結部への移動、及び下部操作体の上部連結部への移動を制限するとともに、上部操作体の押入により弾性変形して上部操作体を通過させる仕切部と、を有することを特徴とするプルスイッチ操作体の連結具とした。
【発明の効果】
【００１４】
本発明の効果として、以下に示すような効果を奏する。
【００１５】
請求項１に記載の発明によれば、下部連結部は、上部連結部の両側にそれぞれ連続する第１連結部と第２連結部とからなり、前記第１連結部と前記第２連結部は端部にそれぞれ上部操作体及び下部操作体を通過可能な間隙を確保しており、前記第１連結部と第２連結部とが重層状態に形成されて前記下部操作体を挿通させる挿通空間を形成している。このため、伸び変形を生じる端部は、両端部とも下部連結部に配置されており、上部連結部にはＳ字型の連結具の場合のような端部は配置されていない。引張り荷重が加わった場合には、下部連結部の第１連結部と第２連結部が伸び変形を生じ、下部操作体が下部連結部から外れてプルスイッチの破損等を防止することができる。一方、上部連結部には伸び変形を生じる端部が配置されておらず、瞬間的に大きな引張り荷重が加わった場合であっても、上部操作体が上部連結部から外れることがない。
【００１６】
また、上部連結部は、端部を有していないため、上部連結部に上部操作体を連結する場合は、第１連結部、第２連結部及び仕切部を弾性変形させて上部操作体を通過させることにより、上部連結部に上部操作体を連結する。このため、金属線材で形成した場合であっても、上部連結部に上部操作体を連結する場合にカシメ加工が不要であり、金属疲労による上部連結部の引張り強度の低下がない。従って、瞬間的に大きな引張り荷重が加わった場合であっても、上部操作体が上部連結部から外れることがない。
【００１７】
また、上記のように上部操作体を下部連結部から入れて上部連結部に移動させて連結できるようにするため、上部連結部と下部連結部は連続しているが、仕切部が、上部操作体の下部連結部への自由な移動、及び下部操作体の上部連結部への自由な移動を制限している。このため、上部操作体が不用意に下部連結部に移動すること、及び下部操作体が不用意に上部連結部に移動することを防止することができる。従って、下部操作体は下部連結部に確実に連結されることとなり、引張り荷重が加わった場合には、下部操作体が下部連結部から外れてプルスイッチの破損等を防止することができる。また、上部操作体は上部連結部に確実に連結されることとなり、瞬間的に大きな引張り荷重が加わった場合であっても、上部操作体と連結具とが外れることがない。
【００１８】
以上より、プルスイッチ操作体に引張り荷重が加わった場合に確実に下部操作体が上部操作体より先に連結具から外れる、安全性の高いプルスイッチ操作体の連結具を提供することができる。
【００１９】
請求項２に記載の発明によれば、プルスイッチ操作体の連結具は金属線材を曲げ加工することにより形成されており、下部連結部は、上部連結部から連続する金属線材の両端側をそれぞれ上部操作体及び下部操作体を通過可能な間隙を確保しつつ湾曲させて第１連結部と第２連結部とし、前記第１連結部と第２連結部とを重層状態に形成して前記下部操作体を挿通させる挿通空間を形成している。このため、伸び変形を生じる金属線材の端部は、両端部とも下部連結部に配置されており、上部連結部にはＳ字型の連結具の場合のような金属線材の端部は配置されていない。引張り荷重が加わった場合には、下部連結部の第１連結部と第２連結部が伸び変形を生じ、下部操作体が下部連結部から外れてプルスイッチの破損等を防止することができる。一方、上部連結部には伸び変形を生じる金属線材の端部が配置されておらず、瞬間的に大きな引張り荷重が加わった場合であっても、上部操作体が上部連結部から外れることがない。
【００２０】
また、上部連結部は、金属線材の一部を湾曲させて形成されており、金属線材の端部は配置されていないため、上部連結部に上部操作体を連結する場合は、第１連結部、第２連結部及び仕切部を弾性変形させて上部操作体を通過させることにより、上部連結部に上部操作体を連結する。このため、上部連結部に上部操作体を連結する場合にカシメ加工が不要であり、金属疲労による上部連結部の引張り強度の低下がない。従って、瞬間的に大きな引張り荷重が加わった場合であっても、上部操作体が上部連結部から外れることがない。
【００２１】
また、上記のように上部操作体を下部連結部から入れて上部連結部に移動させて連結できるようにするため、上部連結部と下部連結部は連続しているが、仕切部が、上部操作体の下部連結部への自由な移動、及び下部操作体の上部連結部への自由な移動を制限している。このため、上部操作体が不用意に下部連結部に移動すること、及び下部操作体が不用意に上部連結部に移動することを防止することができる。従って、下部操作体は下部連結部に確実に連結されることとなり、引張り荷重が加わった場合には、下部操作体が下部連結部から外れてプルスイッチの破損等を防止することができる。また、上部操作体は上部連結部に確実に連結されることとなり、瞬間的に大きな引張り荷重が加わった場合であっても、上部操作体と連結具とが外れることがない。
【発明を実施するための最良の形態】
【００２２】
次に、発明の実施の形態について図を用いて説明する。
【実施例１】
【００２３】
本発明の実施例１に係るプルスイッチ操作体の連結具（以下、「連結具」という）１１について、図を用いて説明する。図１は本発明の実施例１に係る連結具１１の正面図、図２は連結具１１の背面図、図３は図１の矢印Ａ方向から見た側面図、図４は図１の４−４線で切断した端面図、図５は上部操作体５５の先端の輪状部分５５ａを第１連結部２３と第２連結部２４の間に押入した状態の正面図である。
【００２４】
図６は連結具１１の上部連結部２１に上部操作体５５を連結した状態の正面図、図７は連結具１１とプルスイッチ操作体５４とを連結した状態の正面図、図８はプルスイッチ５２の下部操作体５６に引張り荷重が加わった状態の正面図、図９は下部操作体５６が下部連結部２２から外れた状態の正面図である。
【００２５】
本実施例に係る連結具１１は、吊り下げ型照明器具５１のプルスイッチ５２に使用されるものであり、以下の説明では、上下方向は、プルスイッチ５２が吊り下げ型照明器具５１に使用されている状態における上下方向をいうものとする。
【００２６】
図１に示すように、連結具１１は、直径０．７ｍｍのステンレス製線材を正面視「８」字状に曲げて、上部連結部２１と、下部連結部２２と、仕切部３１と、案内部４１とを形成しており、ステンレス製線材の両端部は、下部連結部２２に配置されている。線材の素材としてステンレス素材を用いることにより、連結具１１の美観が向上するとともに、錆にくいことから、プルスイッチを使用する照明器具５１等の美観を長期に渡って良好とすることができる。連結具１１の素材としては、ステンレスの他、鋼等の金属素材を用いることもできる。また、連結具１１の素材として、樹脂素材を用いることもできる。樹脂素材としては弾性を有する硬質の樹脂が好ましい。
【００２７】
前記上部連結部２１は上部操作体５５を連結するための部分である。図１、図２に示すように、上部連結部２１は、ステンレス製線材の一部を湾曲させて環状とされ、上部操作体５５を挿通させる挿通空間が形成されている。環状部分の直径は、約５〜６ｍｍであるが、使用されるプルスイッチ５２に適合するように適宜変更することができる。尚、上部連結部２１の湾曲部分は環状に形成したが、逆Ｕ字型など、上部操作体５５が挿通される挿通空間が確保される形状であればよい。
【００２８】
図１、図２に示すように、前記上部連結部２１の図示下方であって、前記上部連結部２１と後記下部連結部２２との間には、前記上部連結部２１に連続して、仕切部３１が形成される。仕切部３１は、前記上部連結部２１から連続するステンレス製線材を交差させて相互に接近させており、図４に示すように、ステンレス製線材が付勢された状態で密着している。仕切部３１は、後記上部操作体５５の下部連結部２２への移動、及び後記下部操作体５６の上部連結部２１への移動を制限し、また、上部操作体５５を交差部の密着部に押入することで弾性変形し、隙間が拡開して上部操作体５５を通過させる。尚、仕切部３１はステンレス製線材を交差させることによって形成されているため、仕切部３１を上部連結部２１及び下部連結部２２と一体的に形成することができる。
【００２９】
前記仕切部３１は、上部操作体５５の下部連結部２２への自由な移動、及び下部操作体５６の上部連結部２１への自由な移動を制限しているため、上部操作体５５が不用意に下部連結部２２に移動すること、及び下部操作体５６が不用意に上部連結部２１に移動することを防止している。従って、下部操作体５６は下部連結部２２に確実に連結されることとなり、引張り荷重が加わった場合には、下部操作体５６が下部連結部２２から外れてプルスイッチ５２の破損等を防止することができる。また、上部操作体５５は上部連結部２１に確実に連結されることとなり、瞬間的に大きな引張り荷重が加わった場合であっても、上部操作体５５と連結具１１とが外れることがない。
【００３０】
また、仕切部３１ではステンレス製線材が付勢された状態で密着しているため、引張り荷重が加わって連結具１１から下部操作体５６が外れた場合に、反動で連結具１１が激しく動いても、上部操作体５５が仕切部３１を通過しにくく、上部操作体５５と連結具１１が外れることを防止する。
【００３１】
次に図１、図２に示すように、前記仕切部３１の下方には、下部連結部２２が形成される。下部連結部２２は、後記下部操作体５６を連結するための部分である。下部連結部２２は略「逆Ｇ」字状の第１連結部２３と、略「Ｃ」字状の第２連結部２４とから構成され、正面視重ねて配置される。図１に示すように、第１連結部２３は、上部連結部２１の図示左側から仕切部３１を経て連続するステンレス製線材を図示右巻きに湾曲させて略環状に形成される。略環状部分の直径は７〜８ｍｍであるが、使用されるプルスイッチ５２に適合するように適宜変更することができる。環状部分の端部は閉じた形状ではなく、一部を開放させた形状として、上部操作体５５及び下部操作体５６を通過させることのできる間隙を確保している。第１連結部２３の端部には、後記説明する案内部４１が形成される。
【００３２】
また、図２に示すように、第２連結部２４は、第１連結部２３とは逆方向に湾曲させている。上部連結部２１の図示左側から仕切部３１を経て連続するステンレス製線材を図示右巻きに湾曲させて略環状に形成される。略環状部分の直径は第１連結部２３と同様とする。また、第１連結部２３と同様に、環状部分の直径は使用されるプルスイッチ５２に適合するように適宜変更することができる。環状部分の端部は閉じた形状ではなく、一部を開放させた形状として、上部操作体５５及び下部操作体５６を通過させることのできる間隙を確保している。そして、図１、図２、図３に示すように、第１連結部２３と第２連結部２４は正面視で重層状態に重なるように形成して、前記下部操作体５６を挿通させる挿通空間を形成している。
【００３３】
尚、上部連結部２１は直径が約５〜６ｍｍであり、下部連結部２２は直径が約７〜８ｍｍであり、上部連結部２１より下部連結部２２の直径を大きく形成している。下部連結部２２は上部連結部２１より大きく形成されているため、下部連結部２２と上部連結部２１の判別が容易となる。従って、上部操作体５５と下部操作体５６を連結具１１で連結する際に、上部操作体５５と下部操作体５６の取り付け位置の誤りが防止される。このため、プルスイッチ操作体５４に引張り荷重が加わった場合に確実に下部操作体５６が上部操作体５５より先に連結具１１から外れ、安全性の高い連結具１１とすることができる。また、重心が下方になるため、姿勢が安定して連結具１１が上下逆になりにくい。
【００３４】
次に、図１、図２に示すように、第１連結部２３の端部には、前述のように案内部４１が形成されている。案内部４１は上部操作体５５及び下部操作体５６を第１連結部２３と第２連結部２４の間に押入する際に、上部操作体５５及び下部操作体５６を案内する部分である。案内部４１は、第１連結部２３の端部を下部連結部２２の中心に向けて屈曲させて形成されている。
【００３５】
下部連結部２２の第１連結部２３の端部に上部操作体５５及び下部操作体５６を押入する際の案内部４１を形成しているため、上部操作体５５及び下部操作体５６を第１連結部２３と第２連結部２４との間に押入することが容易となる。これにより、上部連結部２１への上部操作体５５の連結、及び下部連結部２２への下部操作体５６の連結が容易となり、プルスイッチ操作体５４と連結具１１の連結が容易となる。
【００３６】
次に、前記連結具１１とプルスイッチ操作体５４とを連結する場合について説明する。前記プルスイッチ操作体５４の上部操作体５５は、プルスイッチ本体５３に直接取り付けられ、プルスイッチ本体５３の導出孔５７から導出されている部分であり（図１２参照。）、先端部に第１連結部２３と連結させる輪状部分５５ａが形成されている。また、前記プルスイッチ操作体５４の下部操作体５６は、使用者が把持して引張り操作を行う部分であり、先端部に第２連結部２４と連結させる輪状部分５６ａが形成されている（図１２参照。）。尚、本実施例では上部操作体５５と下部操作体５６は紐体であるが、紐体の他、鎖体、ピアノ線等の金属線、金属板に連結用の透孔を形成した部材等であっても本発明を適用することができる。
【００３７】
まず、連結具１１の上部連結部２１に上部操作体５５を連結する場合について説明する。
【００３８】
前述のように、第１連結部２３の端部には、案内部４１が形成されており、図５に示すように、上部操作体５５の先端の輪状部分５５ａに案内部４１をくぐらせて第１連結部２３と第２連結部２４の間に押入する。押入により第１連結部２３と第２連結部２４の間が弾性変形により拡開し、上部操作体５５の輪状部分５５ａに第１連結部２３をくぐらせることができる。そして上部操作体５５の輪状部分５５ａを仕切部３１まで移動させる。
【００３９】
次に仕切部３１では、前記上部連結部２１から連続するステンレス製線材が密着状態で交差しており、上部操作体５５を線材の密着部の間に押入することでステンレス製線材が弾性変形して隙間が拡開して、上部操作体５５を通過させることができる。仕切部３１を通過させると、図６に示すように、上部操作体５５の先端の輪状部分５５ａは上部連結部２１に到達し、上部操作体５５と上部連結部２１の連結が完了する。
【００４０】
前述のように、上部連結部２１はステンレス製線材の一部を湾曲させて形成されており、ステンレス製線材の両端部は配置されていない。このため、上部連結部２１に上部操作体５５を連結する場合は、第１連結部２３、第２連結部２４及び仕切部３１を弾性変形させて上部操作体５５を通過させることにより、上部連結部２１と上部操作体５５とが連結される。上部連結部２１に上部操作体５５を連結する場合にカシメ加工が不要であり、金属疲労による上部連結部２１の引張り強度の低下がない。従って、後記説明するように、プルスイッチ操作体５４に瞬間的に大きな引張り荷重が加わった場合であっても、上部操作体５５が上部連結部２１から外れることがない。
【００４１】
次に、連結具１１の下部連結部２２に下部操作体５６を連結する場合について説明する。上部操作体５５の場合と同様に、下部操作体５６の先端の輪状部分５６ａに案内部４１をくぐらせて第１連結部２３と第２連結部２４の間に押入する。押入により第１連結部２３と第２連結部２４の間が弾性変形により拡開し、下部操作体５６の輪状部分５６ａに第１連結部２３をくぐらせることができる。そして上部操作体５５の輪状部分５６ａを移動させ、第２連結部２４の端部を通過させると、図７に示すように、下部操作体５６の先端の輪状部分５６ａは下部連結部２２に到達し、下部操作体５６と下部連結部２２の連結が完了して、連結具１１とプルスイッチ操作体５４との連結が完了する。
【００４２】
前述のように、下部連結部２２に下部操作体５６を連結する場合は、第１連結部２３、第２連結部２４を弾性変形させて下部操作体５６を通過させることにより、下部連結部２２と下部操作体５６とが連結される。このため、下部連結部２２と下部操作体５６を連結する場合にカシメ加工が不要であり、金属疲労による下部連結部２２の引張り強度の低下がない。従って、設定した下部連結部２２の引張り強度を確保することができる。
【００４３】
次に、連結具１１とプルスイッチ操作体５４を連結した状態で、プルスイッチ５２のプルスイッチ操作体５４に大きな引張り荷重が加わった場合について説明する。図８に示すように、下部操作体５６に図示矢印方向の瞬間的に大きな引張り荷重が加わると、下部操作体５６が連結された第１連結部２３と第２連結部２４の端部が下方に伸び変形する。図９に示すように、第１連結部２３と第２連結部２４の端部は更に下方に伸び変形し、下部操作体５６は下部連結部２２から外れ、上部操作体５５と下部操作体５６とが分離する。これにより、大きな引張り荷重がプルスイッチ本体５３に加わることを防止することができる。
【００４４】
前述のように、伸び変形を生じるステンレス製線材の端部は、両端部とも下部連結部２２に配置されており、上部連結部２１にはＳ字型の連結具の場合のようなステンレス製線材の端部は配置されていない。このため、引張り荷重が加わった場合には、下部連結部２２の第１連結部２３と第２連結部２４が伸び変形を生じ、下部操作体５６が下部連結部２２から外れてプルスイッチ５２の破損等を防止することができる。一方、上部連結部２１には伸び変形を生じるステンレス製線材の端部が配置されておらず、瞬間的に大きな引張り荷重が加わった場合であっても、上部操作体５５が上部連結部２１から外れることがない。
【００４５】
尚、実施例は上記に限定されるものではなく、例えば、以下のように変更してもよい。
【００４６】
上記実施例では、上部連結部２１より下部連結部２２の直径を大きく形成しているがこれに限定されず、上部連結部２１と下部連結部２２とを略同じ形状としてもよく、上部連結部２１を下部連結部２２より大きくしてもよい。
【００４７】
仕切部３１は、上部連結部２１から連続するステンレス製線材を交差させて相互に接近させているが、これに限定されず、線材を相互に接近させた形状であればよい。例えば、図１０に示すように、上部連結部２１から連続する線材を一部屈曲させて屈曲部３２を形成し、屈曲部３２を相互に接近させるようにしてもよい。
【００４８】
ステンレス製線材等の金属素材を用いた連結具１１の製造手段については、従来公知の曲げ加工手段を用いることができる。また、樹脂素材を用いた連結具１１の製造手段については、射出成形手段による一体成形手段等、従来公知の樹脂成形手段を用いることができる。
【００４９】
プルスイッチ操作体５４と連結具１１の連結は、上部操作体５５と下部操作体５６の端部に輪状部分５５ａ、５６ａを形成し、これを第１連結部２３と第２連結部２４の間に押入しているが、これに限定されず、上部連結部２１及び下部連結部２２にプルスイッチ操作体５４を結束することにより、プルスイッチ操作体５４と連結具１１を連結してもよい。
【図面の簡単な説明】
【００５０】
【図１】本発明の実施例１に係る連結具１１の正面図。
【図２】連結具１１の背面図。
【図３】図１の矢印Ａ方向から見た側面図。
【図４】図１の４−４線で切断した端面図。
【図５】上部操作体５５の先端の輪状部分５５ａを第１連結部２３と第２連結部２４の間に押入した状態の正面図。
【図６】連結具１１の上部連結部２１に上部操作体５５を連結した状態の正面図。
【図７】連結具１１とプルスイッチ操作体５４とを連結した状態の正面図。
【図８】プルスイッチ５２の下部操作体５６に引張り荷重が加わった状態の正面図。
【図９】下部操作体５６が下部連結部２２から外れた状態の正面図。
【図１０】他の実施例に係る連結具１１の正面図。
【図１１】吊り下げ型照明器具５１の一部を破断した側面図。
【図１２】プルスイッチ５２の斜視簡略図。
【符号の説明】
【００５１】
１１      連結具
２１      上部連結部
２２      下部連結部
２３      第１連結部
２４      第２連結部
３１      仕切部
３２      屈曲部
４１      案内部
５１      吊り下げ型照明器具
５２      プルスイッチ
５３      プルスイッチ本体
５４      プルスイッチ操作体
５５      上部操作体
５５ａ    上部操作体の輪状部分
５６      下部操作体
５６ａ    下部操作体の輪状部分
５７      導出孔
６１      従来の連結具
６２      上部係止部
６３      下部係止部